(57)【要約】【課題】除雪作業における作業者の労力的負担を軽減するスノーダンプを提供する。【解結手段】  左右側杆２１と把持杆２２からなるハンドル部２の左右側杆２１の先端とショベル部１の左右側面部１３先端とを回転可能の軸支点１０とし、さらに、左右側杆２１の間に補強杆２３を差し渡し、この補強杆２３と背面部１２の各略中間部の間にばね５を連結したものであり、さらに、背面部上縁部から図７に示すようなＪ字状に後方下部方向に突設した足踏部１１を有する。また、ばね５には適宜の被覆カバーの適用も可能である。【選択図】図３
2005113439.tif 000002
【特許請求の範囲】
【請求項１】
前部が開口し、底面部、左右側面部、背面部を有するショベル部と、少なくとも側杆と手持部とからなり、ショベル部との間に弾性体を介在して連結されたハンドル部とを有することを特徴とするスノーダンプ。
【請求項２】
左右側面部先端に固着された固定具と左右側杆の先端との間にばねを連結したハンドル部を有することを特徴とする請求項１記載のスノーダンプ。
【請求項３】
左右側面部先端に固着された固定具と左右側杆の先端との間にばねを連結し、左右側杆の間に差し渡された補強杆の略中間部と背面部上縁の略中間部の間にばねを連結したハンドル部を有することを特徴とする請求項１記載のスノーダンプ。
【請求項４】
左右側杆の先端と左右側面部先端を回動可能に軸支し、左右側杆の間に差し渡された補強杆の略中間部と背面部上縁の略中間部の間にばねを連結したハンドル部を有することを特徴とする請求項１記載のスノーダンプ。
【請求項５】
左右側面部先端に固着された固定具と左右側杆の先端との間にばねを連結し、左右側杆と左右側面部上縁との間にばねを連結したハンドル部を有することを特徴とする請求項１記載のスノーダンプ。
【請求項６】
左右側杆の先端と左右側面部先端を回動可能に軸支し、左右側杆と左右側面部上縁との間にばねを連結したハンドル部を有することを特徴とする請求項１記載のスノーダンプ。
【請求項７】
背面部から後方に突設した足踏部を有することを特徴とする請求項１から６のいずれかに記載のスノーダンプ。
【発明の詳細な説明】
【技術分野】
【０００１】
本発明は、除雪作業に使用するスノーダンプに関するものである。
【背景技術】
【０００２】
従来のスノーダンプは、前部に開口部を有し、底面部、左右側面部、背面部を有するショベル部と、ショベル部の背面部から全体が平面コ字状に後方に延設されたハンドル部からなり実用に供されている。除雪作業は、ショベル部で雪を掬い取り、排雪場に搬送し、ハンドル部を起動し傾斜したショベル部から除雪する。
【０００３】
前記のハンドル部の起動作業において、腕や体を前傾伸張させて除雪作業を行うが、排雪場には制限があるため、図１０のように作業者Ｐは排雪場の雪の上にさらに雪Ｓを除雪しなければならないという場合が多く、排雪場の雪の上にスノーダンプを押し上げて、前記姿勢をとらなければならず、作業者には多大な労力的負担である。
【０００４】
前記問題点の改善策として、ハンドル部の両先端をショベル部の先端部左右の側面部に回転可能に軸支して、除雪時にハンドル部を伏動させてハンドル部とショベル部の挟角を小さくし、その状態で固定し、除雪時のハンドル部の起動角度を小さくして労力的負担を減らす方法がある。しかし、この方法でも、いったんハンドル部を伏動させることや排雪場の雪の上にスノーダンプを押し上げる作業は必要となる。
【特許文献１】特開２０００−３８７１３号公報
【発明の開示】
【発明が解決しようとする課題】
【０００５】
本発明は、このような問題点に着目し、弾性体の弾性力を利用して、除雪作業の労力的負担の軽減を図るものである。
【課題を解決するための手段】
【０００６】
請求項１記載の発明は、前部が開口し、底面部、左右側面部、背面部を有するショベル部と、少なくとも左右側杆と手持部からなり、ショベル部との間に弾性体を介して連結されたハンドル部と、背面部から後方に突設した足踏部とを有することを特徴とすスノーダンプである。請求項２記載の発明は、請求項１記載のスノーダンプにおいて、左右側面部先端に固着された固定具と左右側杆の先端との間にばねを連結したハンドル部を有することを特徴とする。請求項３記載の発明は、請求項１記載のスノーダンプにおいて、左右側面部先端に固着された固定具と左右側杆の先端との間にばねを連結し、さらに、左右側杆の間に差し渡された補強杆の略中間部と背面部上縁の略中間部の間にばねを連結したハンドル部を有することを特徴とする。請求項４記載の発明は、請求項１記載のスノーダンプにおいて、左右側杆の先端と左右側面部先端を回転可能に軸支し、さらに、左右側杆の間に差し渡された補強杆の略中間部と背面部上縁の略中間部の間にばねを連結したハンドル部を有することを特徴とする。請求項５記載の発明は、請求項１記載のスノーダンプにおいて、左右側面部先端に固着された固定具と左右側杆の先端との間にばねを連結し、さらに、左右側杆と左右側面部上縁との間にばねを連結したハンドル部を有することを特徴とする。請求項６記載の発明は、請求項１記載のスノーダンプにおいて、左右側杆の先端と左右側面部先端を回転可能に軸支し、さらに、左右側杆と左右側面部上縁との間にばねを連結したハンドル部を有することを特徴とする。請求項７記載の発明は、請求項１から６のいずれかに記載のスノーダンプにおいて、背面部から後方に突設した足踏部を有することを特徴とする。
【発明の効果】
【０００７】
以上のように本発明のスノーダンプは、ばねの弾性力の利用により、無理な姿勢をとることなく除雪作業ができるようにして労力的負担の軽減を図るものである。
【発明を実施するための最良の形態】
【０００８】
除雪作業はショベル部1で雪Ｓを掬い取った後、排雪場に搬送し、図８に示すように作業者Ｐは足踏部６を足で押さえ、ハンドル部２を斜上方に起動しばねを伸張する。次に、図９に示すように作業者Ｐはハンドル部２をそのまま固定して足踏部６を開放すると、ばねの縮み弾性力によりショベル部２が起動し雪Ｓは前上方に放出される。
【０００９】
前記のハンドル部２の起動角度を調整することにより雪Ｓの量に対応することができる。例えば、雪Ｓの量が多い場合には、起動角度を大きくする。また、足踏部６の押さえ方を加減して、地面(雪面)に対するショベル部１の角度を調整することにより雪Ｓの前上方に対する放出角度を調整することができる。
【実施例１】
【００１０】
図1は本発明の第１実施例を示したもので、左右側杆２１と把持杆２２からなるハンドル部２の左右側杆２１の先端がショベル部１の左右側面部１３の先端に固着された固定具７とばねにより連結され、背面部１２上縁から図６に示すようなコ字状に後方下部方向に突設した足踏部６を有するスノーダンプである。
【実施例２】
【００１１】
図２は本発明の第２実施例を示したもので、左右側杆２１と把持杆２２からなるハンドル部２の左右側杆２１の先端がショベル部１の左右側面部１３の先端に固着された固定具７とばねにより連結され、さらに、左右側杆２１の間に補強杆２３を差し渡し、この補強杆２３と背面部１２の各略中間部の間にばね５を連結したものであり、背面部１２上縁から図６に示すようなコ字状に後方下部方向に突設した足踏部６を有するスノーダンプである。
【実施例３】
【００１２】
図３は本発明の第３実施例を示したもので、左右側杆２１と把持杆２２からなるハンドル部２の左右側杆２１の先端とショベル部１の左右側面部１３先端とを回転可能の軸支点１０とし、さらに、左右側杆２１の間に補強杆２３を差し渡し、この補強杆２３と背面部１２の各略中間部の間にばね５を連結したものであり、背面部１２上縁から図７に示すようなＪ字状に後方下部方向に突設した足踏部１１を有するスノーダンプである。
【実施例４】
【００１３】
図４は本発明の第４実施例を示したもので、左右側杆２１と把持杆２２からなるハンドル部２の左右側杆２１の先端がショベル部１の左右側面部１３の先端に固着された固定具７とばねにより連結され、さらに、左右側杆２１と左右側面部１３上縁との間にばね８を連結したものであり、背面部１２上縁から図６に示すようなコ字状に後方下部方向に突設した足踏部６を有するスノーダンプである。
【実施例５】
【００１４】
図５は本発明の第５実施例を示したもので、左右側杆２１と把持杆２２からなるハンドル部２の左右側杆２１の先端とショベル部１の左右側面部１３先端とを回転可能の軸支点１０とし、さらに、左右側杆２１と左右側面部１３上縁との間にばね８を連結したものであり、背面部１２上縁から図７に示すようなＪ字状に後方下部方向に突設した足踏部１１を有するスノーダンプである。
【００１５】
前記第1実施例から第５実施例のスノーダンプのばねには、適宜の被覆カバーの適用も可能である。
【図面の簡単な説明】
【００１６】
【図１】本発明の第１実施例の全体斜視図
【図２】本発明の第２実施例の全体斜視図
【図３】本発明の第３実施例の全体斜視図
【図４】本発明の第４実施例の全体斜視図
【図５】本発明の第５実施例の全体斜視図
【図６】本発明の第２実施例の一部拡大後方斜視図
【図７】本発明の第３実施例の一部拡大後方斜視図
【図８】本発明の足踏部を押さえてハンドル部を起動させる作業状態を示す側面図である。
【図９】本発明のハンドル部を固定して足踏部を開放させる作業状態を示す側面図である。
【図１０】従来のスノーダンプの排雪作業を示す側面図である。
【符号の説明】
【００１７】
Ｓ    雪
Ｐ    作業者
１    ショベル部
１１  底面部
１２  背面部
１３  側面部
２    ハンドル部
２１  側杆
２２  把持杆
２３  補強杆
４    ばね
５    ばね
６    足踏部
７    固定具
８    ばね
１０  軸支点
１１  足踏部
【図１】
2005113439.tif 000003
【図２】
2005113439.tif 000004
【図３】
2005113439.tif 000005
【図４】
2005113439.tif 000006
【図５】
2005113439.tif 000007
【図６】
2005113439.tif 000008
【図７】
2005113439.tif 000009
【図８】
2005113439.tif 000010
【図９】
2005113439.tif 000011
【図１０】
2005113439.tif 000012